(57)【要約】【課題】現用系と予備系とが互いに独立している無線通信装置を得る。【解決手段】無線機１０ａのインターフェイス回路１ａは、ＭＵＸ装置１０１から入力された２つの信号を現用系及び予備系信号としてＶ偏波送受信器２ａ及びＨ偏波送受信器３ａに出力する。送受信器２ａ及び送受信器３ａから送信された信号はそれぞれ、無線機１０ｂのＶ偏波送受信器２ｂ及びＨ偏波送受信器３ｂに受信され、インターフェイス回路１ｂに出力される。そして、インターフェイス回路１ｂは、送受信器２ｂ及び送受信器３ｂからの現用系及び予備系信号をＭＵＸ装置１０２に送出する。【選択図】　　　図１
2004112242.tif 000002
【特許請求の範囲】
【請求項１】
冗長構成をとり上位装置から現用系有線回線及び予備系有線回線を介して互いに同一の信号が入力される無線通信装置であって、
前記現用系有線回線を介して入力される信号を無線信号として現用系無線回線を介して他の無線通信装置に送信する現用系通信手段と、
前記予備系有線回線を介して入力される信号を無線信号として予備系無線回線を介して前記他の無線通信装置に送信する予備系通信手段とを含むことを特徴とする無線通信装置。
【請求項２】
前記現用系通信手段及び前記予備系通信手段から送信される無線信号は、周波数が同一で互いに偏波方向の異なる偏波信号であることを特徴とする請求項１記載の無線通信装置。
【請求項３】
前記現用系通信手段は、前記他の無線通信装置の現用系通信手段から送信された信号を前記現用系無線回線を介して受信しこの受信信号を前記現用系有線回線を介して前記上位装置に送信し、
前記予備系通信手段は、前記他の無線通信装置の予備系通信手段から送信された信号を前記予備系無線回線を介して受信しこの受信信号を前記予備系有線回線を介して前記上位装置に送信するようにしたことを特徴とする請求項１又は２記載の無線通信装置。
【請求項４】
現用系に障害が発生した場合、前記予備系通信手段から前記上位装置に送信された信号が前記上位装置により前記無線通信装置からの受信信号として選択されることにより現用系から予備系への切替えがなされることを特徴とする請求項３記載の無線通信装置。
【請求項５】
各々冗長構成をとり自装置の上位装置から現用系有線回線及び予備系有線回線を介して互いに同一の信号が入力される無線通信装置間で無線通信を行う無線通信システムであって、
前記無線通信装置の各々は、前記現用系有線回線を介して入力される信号を無線信号として現用系無線回線を介して他の前記無線通信装置に送信する現用系通信手段と、前記予備系有線回線を介して入力される信号を無線信号として予備系無線回線を介して前記他の無線通信装置に送信する予備系通信手段とを含むことを特徴とする無線通信システム。
【請求項６】
前記現用系通信手段及び前記予備系通信手段から送信される無線信号は、周波数が同一で互いに偏波方向の異なる偏波信号であることを特徴とする請求項５記載の無線通信システム。
【請求項７】
前記現用系通信手段は、前記他の無線通信装置の現用系通信手段から送信された信号を前記現用系無線回線を介して受信しこの受信信号を前記現用系有線回線を介して前記上位装置に送信し、
前記予備系通信手段は、前記他の無線通信装置の予備系通信手段から送信された信号を前記予備系無線回線を介して受信しこの受信信号を前記予備系有線回線を介して前記上位装置に送信するようにしたことを特徴とする請求項５又は６記載の無線通信システム。
【請求項８】
前記上位装置は、現用系に障害が発生した場合、自装置に接続された前記無線通信装置の前記予備系通信手段からの信号を当該無線通信装置からの受信信号として選択することにより現用系から予備系への切替えを行なうようにしたことを特徴とする請求項７記載の無線通信システム。
【発明の詳細な説明】
【０００１】
【発明の属する技術分野】
本発明は無線通信装置及びそれを用いた無線通信システムに関し、特に冗長構成をとる無線通信装置及びそれを用いた無線通信システムに関する。
【０００２】
【従来の技術】
従来、ＳＴＭ−Ｎ（ｓｙｎｃｈｒｏｎｏｕｓ　ｔｒａｎｓｐｏｒｔ　ｍｏｄｕｌｅ−ｌｅｖｅｌ　Ｎ）伝送のマイクロ波デジタル通信用無線機では、ＳＴＭ−Ｎインターフェースの二重化に対応した方式として、ＭＳＰ（ｍｕｌｔｉｐｌｅｘ　ｓｅｃｔｉｏｎ　ｐｒｏｔｅｃｔｉｏｎ）方式をとっている。ＭＳＰ方式については、例えばＩＴＵ−Ｔ勧告Ｇ．７８２またはＧ．７８３等に示されている。
【０００３】
このような無線機間で無線通信を行う無線通信システムについて、各無線機の構成として（Ｎ＋１）構成の最小構成である（１＋１）構成を例にとり説明する。図４は従来の無線通信システムの構成を示す図である。
【０００４】
図４に示すように、従来の無線通信システムは、無線機３０ａ及び３０ｂと、ＭＵＸ装置１０１及び１０２とから構成される。無線機３０ａは、インターフェイス回路２１ａと、現用送受信器２２ａと、予備送受信器２３ａと、サーキュレータ２４ａと、アンテナ２５ａとから構成され、無線機３０ｂは、インターフェイス回路２１ｂと、現用送受信器２２ｂと、予備送受信器２３ｂと、サーキュレータ２４ｂと、アンテナ２５ｂとから構成される。
【０００５】
ＭＵＸ装置１０１及び１０２は、それぞれ図示せぬノード装置に接続されており、ＭＵＸ装置１０１及び１０２の各々は、自装置に接続されたノード装置からの入力信号を多重してこの多重信号（ＳＴＭ−Ｎ信号）を２分岐した後、分岐された互いに同一の２つのＳＴＭ−Ｎ信号を光伝送路２１０及び２２０（２５０及び２６０）に送出する。
【０００６】
ＭＵＸ装置１０１から出力された２つのＳＴＭ−Ｎ信号は、光伝送路２１０及び２２０を介して無線機３０ａのインターフェイス回路２１ａに入力される。インターフェイス回路２１ａは、入力された２つのＳＴＭ−Ｎ信号のうちのどちらか一方を選択し、選択した信号を無線機３０ａ及び３０ｂ間の現用無線回線及び予備無線回線で伝送するために２分岐した後、現用送受信器２２ａ及び予備送受信器２３ａに出力する。
【０００７】
現用送受信器２２ａ及び予備送受信器２３ａの各々は、入力された信号を変調しＲＦ帯の無線周波数に変換した後、サーキュレータ２４ａ及びアンテナ２５ａを介して対向局である無線機３０ｂに送信する。無線機３０ｂのアンテナ２５ｂを介して受信された信号　（現用送受信器２２ａからの信号及び予備送受信器２３ａからの信号）は、それぞれサーキュレータ２４ｂを介して現用送受信器２２ｂ及び予備送受信器２３ｂに入力される。
【０００８】
現用送受信器２２ｂ及び予備送受信器２３ｂの各々は、ＲＦ受信信号を中間周波数帯の信号に変換し復調した後、復調信号であるベースバンドデジタル信号をインターフェイス回路２１ｂに出力する。インターフェイス回路２１ｂは、現用送受信器２２ｂ及び予備送受信器２３ｂからの２つの入力ベースバンドデジタル信号のうちのどちらか一方を選択し選択された信号を２分岐した後、光伝送路２７０及び２８０を介してＭＵＸ装置１０２に出力する。
【０００９】
なお、無線機３０ａ及び３０ｂ間の現用無線回線及び予備無線回線の無線周波数上の周波数配置は、図３（ｂ）に示されるようにインターリーブ配置である。すなわち、現用送受信器２２ａ及び２２ｂは図３（ｂ）に示した周波数Ｆ０を使用し、予備送受信器２３ａ及び２３ｂは図３（ｂ）に示した周波数Ｆ２を使用する。
【００１０】
図５は図４に示したインターフェイス回路２１ａ，２１ｂの構成を示す図であり、図４と同等部分は同一符号にて示している。図５に示すように、インターフェイス回路２１ａ及び２１ｂの各々は、ＳＴＭ−Ｎ入力インターフェイス回路３１及び３２と、選択回路３３と、制御回路３４と、分岐回路３５と、選択回路３７と、分岐回路３８と、ＳＴＭ−Ｎ出力インターフェイス回路３９及び４０と、ＣＬＫ（クロック）供給回路３６とから構成される。なお、ＣＬＫ供給回路３６は、生成したクロックをＳＴＭ−Ｎ入力インターフェイス回路３１及び３２とＳＴＭ−Ｎ出力インターフェイス回路３９及び４０に供給する。
【００１１】
ＭＵＸ装置１０１から光伝送路２１０及び２２０に送出された２つのＳＴＭ−Ｎ信号は、インターフェイス回路２１ａのＳＴＭ−Ｎ入力インターフェイス回路３１及び３２に入力される。ＳＴＭ−Ｎ入力インターフェイス回路３１及び３２の各々は、入力ＳＴＭ−Ｎ信号のオーバーヘッド信号であるＭＳＯＨ（ｍｕｌｔｉｐｌｅｘ　ｓｅｃｔｉｏｎ　ｏｖｅｒｈｅａｄ）の信号処理や、入力ＳＴＭ−Ｎ信号をＣＬＫ供給回路３６から供給されるクロックへ載せ替えるといった信号処理を行なう。また、ＳＴＭ−Ｎ入力インターフェイス回路３１及び３２の各々は、入力ＳＴＭ−Ｎ信号の品質を監視しその監視結果を制御回路３４に出力する。
【００１２】
制御回路３４は、ＳＴＭ−Ｎ入力インターフェイス回路３１及び３２からの監視結果を基に２つのＳＴＭ−Ｎ信号のうち信号品質の良い方の信号を選択するよう選択回路３３を制御する。選択回路３３は、制御回路３４による制御に従って、ＳＴＭ−Ｎ入力インターフェイス回路３１及び３２からの２つの信号のうち良好な信号を選択し出力する。分岐回路３５は、選択回路３３からの信号を２分岐して現用送受信器２２ａ及び予備送受信器２３ａに出力する。
【００１３】
一方、現用送受信器２２ａ及び予備送受信器２３ａから出力された２つの信号は、インターフェイス回路２１ａの選択回路３７に入力される。選択回路３７は、２つの入力信号のうち現用送受信器２２ａからの信号を選択して出力する。分岐回路３８は、選択回路３７からの信号を２分岐してＳＴＭ−Ｎ出力インターフェイス回路３９及び４０に出力する。なお、現用系に障害が発生した場合には、選択回路３７は、外部指示に従って予備送受信器２３ａからの信号を選択して出力する。
【００１４】
インターフェイス回路２１ａのＳＴＭ−Ｎ出力インターフェイス回路３９及び４０は、分岐回路３８からの入力信号をＳＴＭ−Ｎ信号に変換し、光伝送路２３０及び２４０を介してＭＵＸ装置１０１に送出する。なお、インターフェイス回路２１ｂの動作も、インターフェイス回路２１ａの動作と同様である。
【００１５】
【特許文献１】
特開２００１−８６０５１号公報（第３頁、第１図）
【００１６】
【発明が解決しようとする課題】
以上説明したように、従来、ＳＴＭ−Ｎ冗長構成（光伝送路の２重化）に対応して、無線機のＳＴＭ−Ｎインターフェイス部分と無線部分をそれぞれ冗長構成としている。インターフェイス部分は、２重化された光伝送路からの２つの入力信号のうち品質の良い信号を選択しこの選択信号を現用系及び予備系の無線回線に使用するＭＳＰ方式をとる。無線部分は、選択信号を現用系及び予備系の無線回線で伝送する冗長構成をとる。また、現用系及び予備系の無線回線に用いられる周波数の配置としてインターリーブ周波数配置をとることが一般的である。
【００１７】
しかしながら、図５に示したように、選択回路３３と分岐回路３５の間及び選択回路３７と分岐回路３８の間には冗長構成がとられていない。したがって、このような冗長構成をとっていない共通部に障害が発生した場合には救済できないという問題がある。
【００１８】
また、インターフェイス部分は、ＭＳＰ方式をとるので、ＭＳＰ方式に要求されるＭＳＴ（ｍｕｌｔｉｐｌｅｘ　ｓｅｃｔｉｏｎ　ｔｅｒｍｉｎａｔｉｏｎ）構成にする必要がある。すなわち、ＣＬＫ供給回路３６やＭＳＯＨ終端回路（これはインターフェイス回路３１，３２内または選択回路３３と分岐回路３５の間に設けられる）が必要である。
【００１９】
また、インターリーブ周波数配置をとるので、ＲＦ周波数が２チャネル分必要となるという問題がある。
【００２０】
なお、特許文献１には、現用系回線と予備系回線とを周波数が同一で互いに偏波方向の異なる電波を送出する交差偏波伝送回線で構成した無線通信システムが記載されている。しかしながら、この無線通信システムでは、無線装置が、一の入力信号を現用系と予備系とに２分岐しており、また、現用系に障害が発生した場合に無線装置の信号切替器を用いて他の無線装置から受信される予備系信号を選択出力するようにしている。すなわち、無線装置内において現用系と予備系とが完全には分離されておらず、また、無線装置が受信される現用系信号と予備系信号との切替制御を行なわなければならないという問題がある。
【００２１】
本発明の目的は、現用系と予備系とが互いに独立している無線通信装置及びそれを用いた無線通信システムを提供することである。
【００２２】
【課題を解決するための手段】
本発明による無線通信装置は、冗長構成をとり上位装置から現用系有線回線及び予備系有線回線を介して互いに同一の信号が入力される無線通信装置であって、前記現用系有線回線を介して入力される信号を無線信号として現用系無線回線を介して他の無線通信装置に送信する現用系通信手段と、前記予備系有線回線を介して入力される信号を無線信号として予備系無線回線を介して前記他の無線通信装置に送信する予備系通信手段とを含むことを特徴とする。
【００２３】
前記無線通信装置において、前記現用系通信手段及び前記予備系通信手段から送信される無線信号は、周波数が同一で互いに偏波方向の異なる偏波信号であることを特徴とする。
【００２４】
また、前記無線通信装置において、前記現用系通信手段は、前記他の無線通信装置の現用系通信手段から送信された信号を前記現用系無線回線を介して受信しこの受信信号を前記現用系有線回線を介して前記上位装置に送信し、前記予備系通信手段は、前記他の無線通信装置の予備系通信手段から送信された信号を前記予備系無線回線を介して受信しこの受信信号を前記予備系有線回線を介して前記上位装置に送信するようにしたことを特徴とする。
【００２５】
また、前記無線通信装置において、現用系に障害が発生した場合、前記予備系通信手段から前記上位装置に送信された信号が前記上位装置により前記無線通信装置からの受信信号として選択されることにより現用系から予備系への切替えがなされることを特徴とする。
【００２６】
本発明による無線通信システムは、各々冗長構成をとり自装置の上位装置から現用系有線回線及び予備系有線回線を介して互いに同一の信号が入力される無線通信装置間で無線通信を行う無線通信システムであって、前記無線通信装置の各々は、前記現用系有線回線を介して入力される信号を無線信号として現用系無線回線を介して他の前記無線通信装置に送信する現用系通信手段と、前記予備系有線回線を介して入力される信号を無線信号として予備系無線回線を介して前記他の無線通信装置に送信する予備系通信手段とを含むことを特徴とする。
【００２７】
前記無線通信システムにおいて、前記現用系通信手段及び前記予備系通信手段から送信される無線信号は、周波数が同一で互いに偏波方向の異なる偏波信号であることを特徴とする。
【００２８】
また、前記無線通信システムにおいて、前記現用系通信手段は、前記他の無線通信装置の現用系通信手段から送信された信号を前記現用系無線回線を介して受信しこの受信信号を前記現用系有線回線を介して前記上位装置に送信し、前記予備系通信手段は、前記他の無線通信装置の予備系通信手段から送信された信号を前記予備系無線回線を介して受信しこの受信信号を前記予備系有線回線を介して前記上位装置に送信するようにしたことを特徴とする。
【００２９】
また、前記無線通信システムにおいて、前記上位装置は、現用系に障害が発生した場合、自装置に接続された前記無線通信装置の前記予備系通信手段からの信号を当該無線通信装置からの受信信号として選択することにより現用系から予備系への切替えを行なうようにしたことを特徴とする。
【００３０】
本発明の作用は次の通りである。無線通信装置の現用系通信手段は、自装置の上位装置からの互いに同一の信号の一方を無線信号として現用系無線回線を介して他の無線通信装置に送信し、予備系通信手段は、互いに同一の信号の他方を無線信号として予備系無線回線を介して他の無線通信装置に送信する。このように、無線通信装置は、上位装置からの互いに同一の信号のいずれか一つを選択してこの選択信号を現用系信号及び予備系信号として分岐するのではなく、上位装置からの互いに同一の信号をそれぞれ現用系信号及び予備系信号として他の無線通信装置に送信するようにしている。
【００３１】
また、現用系通信手段は、他の無線通信装置の現用系通信手段から送信された信号を現用系無線回線を介して受信してこの受信信号を上位装置に送信し、予備系通信手段は、他の無線通信装置の予備系通信手段から送信された信号を予備系無線回線を介して受信してこの受信信号を上位装置に送信する。このように、無線通信装置は、他の無線通信装置からの現用系信号及び予備系信号の一方を選択して現用系と予備系との切替えを行なうことなく、他の無線通信装置からの現用系信号及び予備系信号を上位装置に送信するようにしている。
【００３２】
そして、上位装置において現用系と予備系との切替えを行なうようにしている。
【００３３】
【発明の実施の形態】
以下に、本発明の実施例について図面を用いて説明する。図１は本発明の実施例による無線通信システムの構成を示す図である。図１に示したように、本発明の実施例による無線通信システムは、無線機１０ａ及び１０ｂと、ＭＵＸ装置１０１及び１０２とから構成される。
【００３４】
無線機１０ａは、インターフェイス回路１ａと、Ｖ偏波送受信器２ａと、Ｈ偏波送受信器３ａと、サーキュレータ４ａ及び５ａと、アンテナ６ａとから構成され、無線機１０ｂは、インターフェイス回路１ｂと、Ｖ偏波送受信器２ｂと、Ｈ偏波送受信器３ｂと、サーキュレータ４ｂ及び５ｂと、アンテナ６ｂとから構成される。
【００３５】
ＭＵＸ装置１０１及び１０２は、それぞれ図示せぬノード装置に接続される。ＭＵＸ装置１０１は、自装置に接続されたノード装置からの入力信号を多重してこの多重信号（ＳＴＭ−Ｎ信号）を２分岐した後、分岐された互いに同一の２つのＳＴＭ−Ｎ信号を下り光伝送路１１０及び１２０に送出する。ＭＵＸ装置１０２は、自装置に接続されたノード装置からの入力信号を多重してこの多重信号（ＳＴＭ−Ｎ信号）を２分岐した後、分岐された互いに同一の２つのＳＴＭ−Ｎ信号を下り光伝送路１５０及び１６０に送出する。
【００３６】
また、ＭＵＸ装置１０１は、上り光伝送路１３０及び１４０を介して入力される２つのＳＴＭ−Ｎ信号の一方を無線機１０ａからの受信信号として選択してこの選択信号を複数の信号に分割した後、自装置に接続されたノード装置に送出する。ＭＵＸ装置１０２は、上り光伝送路１７０及び１８０を介して入力される２つのＳＴＭ−Ｎ信号の一方を無線機１０ｂからの受信信号として選択してこの選択信号を複数の信号に分割した後、自装置に接続されたノード装置に送出する。
【００３７】
なお、この選択動作は、ＭＵＸ装置１０１，１０２内の図示せぬ選択回路により行なわれ、選択回路は外部指示に従って、入力信号のいずれか一方を無線機からの受信信号として選択する。
【００３８】
インターフェイス回路１ａは、光伝送路１１０及び１２０を介して入力されるＳＴＭ−Ｎ信号をそれぞれ信号処理した後、Ｖ偏波送受信器２ａ及びＨ偏波送受信器３ａに出力する。インターフェイス回路１ｂは、光伝送路１５０及び１６０を介して入力されるＳＴＭ−Ｎ信号をそれぞれ信号処理した後、Ｖ偏波送受信器２ｂ及びＨ偏波送受信器３ｂに出力する。
【００３９】
また、インターフェイス回路１ａは、Ｖ偏波送受信器２ａ及びＨ偏波送受信器３ａからのベースバンドデジタル信号をそれぞれ信号処理した後、光伝送路１３０及び１４０に送出する。インターフェイス回路１ｂは、Ｖ偏波送受信器２ｂ及びＨ偏波送受信器３ｂからのベースバンドデジタル信号をそれぞれ信号処理した後、光伝送路１７０及び１８０に送出する。
【００４０】
Ｖ偏波送受信器２ａ及びＨ偏波送受信器３ａの各々は、インターフェイス回路１ａからの信号を変調しＲＦ帯の無線周波数に変換した後、サーキュレータ４ａ，５ａ及びアンテナ６ａを介して対向局である無線機１０ｂに送信する。Ｖ偏波送受信器２ｂ及びＨ偏波送受信器３ｂの各々は、インターフェイス回路１ｂからの信号を変調しＲＦ帯の無線周波数に変換した後、サーキュレータ４ｂ，５ｂ及びアンテナ６ｂを介して対向局である無線機１０ａに送信する。
【００４１】
アンテナ６ａにて受信された信号はサーキュレータ４ａ及び５ａを介してＶ偏波送受信器２ａ及びＨ偏波送受信器３ａに入力される。Ｖ偏波送受信器２ａ及びＨ偏波送受信器３ａの各々は、ＲＦ受信信号を中間周波数帯の信号に変換して復調した後、復調信号であるベースバンドデジタル信号をインターフェイス回路１ａに出力する。
【００４２】
アンテナ６ｂにて受信された信号はサーキュレータ４ｂ及び５ｂを介してＶ偏波送受信器２ｂ及びＨ偏波送受信器３ｂに入力される。Ｖ偏波送受信器２ｂ及びＨ偏波送受信器３ｂの各々は、ＲＦ受信信号を中間周波数帯の信号に変換して復調した後、復調信号であるベースバンドデジタル信号をインターフェイス回路１ｂに出力する。
【００４３】
図２は図１に示したインターフェイス回路１ａ，１ｂの構成を示す図であり、図１と同等部分は同一符号にて示している。図２に示したように、インターフェイス回路１ａ及び１ｂの各々は、ＳＴＭ−Ｎ入力インターフェイス回路１１及び１２と、ＳＴＭ−Ｎ出力インターフェイス回路１３及び１４とから構成される。
【００４４】
ＳＴＭ−Ｎ入力インターフェイス回路１１は、ＭＵＸ装置１０１（１０２）から光伝送路１１０（１５０）を介して入力されるＳＴＭ−Ｎ信号をＮＲＺ（ｎｏｎ−ｒｅｔｕｒｎ−ｔｏ−ｚｅｒｏ）信号に変換しフレーム同期を取り、ＳＯＨ（ｓｅｃｔｉｏｎ　ｏｖｅｒｈｅａｄ）等の信号処理をした後、Ｖ偏波送受信器２ａ（２ｂ）に出力する。ＳＴＭ−Ｎ入力インターフェイス回路１２は、ＭＵＸ装置１０１（１０２）から光伝送路１２０　（１６０）を介して入力されるＳＴＭ−Ｎ信号をＮＲＺ信号に変換しフレーム同期を取り、ＳＯＨ等の信号処理をした後、Ｈ偏波送受信器３ａ（３ｂ）に出力する。
【００４５】
ＳＴＭ−Ｎ出力インターフェイス回路１３は、Ｖ偏波送受信器２ａ（２ｂ）からのベースバンドデジタル信号をＳＴＭ−Ｎ信号に変換した後、光伝送路１３０（１７０）に送出する。ＳＴＭ−Ｎ出力インターフェイス回路１４は、Ｈ偏波送受信器３ａ（３ｂ）からのベースバンドデジタル信号をＳＴＭ−Ｎ信号に変換した後、光伝送路１４０（１８０）に送出する。
【００４６】
次に、図１に示した無線通信システムの動作について図１及び２を用いて説明する。なお、無線機１０ａを送信側、無線機１０ｂを受信側として動作を説明する。
【００４７】
図１及び２において、ＭＵＸ装置１０１から出力された２つのＳＴＭ−Ｎ信号の一方は光伝送路１１０を介してインターフェイス回路１ａのＳＴＭ−Ｎ入力インターフェイス回路１１に入力され、他方は光伝送路１２０を介してインターフェイス回路１ａのＳＴＭ−Ｎ入力インターフェイス回路１２に入力される。
【００４８】
ＳＴＭ−Ｎ入力インターフェイス回路１１及び１２の各々は、入力されたＳＴＭ−Ｎ信号をＣＭＩ（ｃｏｄｅｄ　ｍａｒｋ　ｉｎｖｅｒｓｉｏｎ）／ＮＲＺ変換しフレーム同期を取り、ＳＯＨ信号処理を行なう。そして、ＳＴＭ−Ｎ入力インターフェイス回路１１は、入力ＳＴＭ−Ｎ信号を信号処理した結果であるベースバンドデジタル信号をＶ偏波送受信器２ａに出力する。また、ＳＴＭ−Ｎ入力インターフェイス回路１２は、入力ＳＴＭ−Ｎ信号を信号処理した結果であるベースバンドデジタル信号をＨ偏波送受信器３ａに出力する。
【００４９】
Ｖ偏波送受信器２ａ及びＨ偏波送受信器３ａの各々は、インターフェイス回路１ａから入力された信号を変調しＲＦ帯の無線周波数に変換した後、サーキュレータ４ａ，５ａを介してアンテナ６ａに出力する。Ｖ偏波送受信器２ａ及びＨ偏波送受信器３ａからの信号は、アンテナ６ａにて合成され、コチャンネル伝送としてアンテナ６ａから無線機１０ｂに送信される。コチャンネル伝送時の周波数配置は図３（ａ）に示したコチャンネル配置であり、Ｖ偏波送受信器２ａ及びＨ偏波送受信器３ａからの信号は図３（ａ）に示したように周波数が同一で互いに直交する偏波面を利用して送信されることになる。
【００５０】
すなわち、Ｖ偏波送受信器２ａからの信号はアンテナ６ａからＶ偏波信号として送信され、無線機１０ａ及び１０ｂ間の現用系無線回線及び予備系無線回線の一方を介して無線機１０ｂに受信される。また、Ｈ偏波送受信器３ａからの信号はアンテナ６ａからＨ偏波信号として送信され、現用系無線回線及び予備系無線回線の他方を介して無線機１０ｂに受信される。
【００５１】
Ｖ偏波送受信器２ａ及びＨ偏波送受信器３ａはＲＦ周波数として同一の周波数Ｆ０（図３（ａ）参照）を使用している。したがって、図３（ｂ）に示したインターリーブ配置をとる図４に示したシステムと比較して、図１に示したシステムでは周波数の有効利用が図られている。
【００５２】
無線機１０ｂのアンテナ６ｂにて受信された信号はそれぞれＶ偏波信号、Ｈ偏波信号として分離されＶ偏波送受信器２ｂ及びＨ偏波送受信器３ｂに入力される。すなわち、Ｖ偏波信号がサーキュレータ４ｂを介してＶ偏波送受信器２ｂに入力され、Ｈ偏波信号がサーキュレータ５ｂを介してＨ偏波送受信器３ｂに入力される。
【００５３】
Ｖ偏波送受信器２ｂ及びＨ偏波送受信器３ｂの各々は、ＲＦ受信信号を中間周波数帯の信号に変換して復調した後、復調されたベースバンドデジタル信号をインターフェイス回路１ｂに出力する。ここで、Ｖ偏波送受信器２ｂ及びＨ偏波送受信器３ｂは交差偏波干渉補償方式を採用するようにしてもよい。本発明の実施例では、上述したように無線機１０ａ及び１０ｂ間で直交偏波伝送を行なうようにしているので、偏波間干渉が問題になる場合がある。そこで、交差偏波干渉補償方式を使用することにより、偏波間干渉による影響を抑制して良好な無線伝送を実現する。
【００５４】
Ｖ偏波送受信器２ｂからのベースバンドデジタル信号はインターフェイス回路１ｂのＳＴＭ−Ｎ出力インターフェイス回路１３に入力され、Ｈ偏波送受信器３ｂからのベースバンドデジタル信号はインターフェイス回路１ｂのＳＴＭ−Ｎ出力インターフェイス回路１４に入力される。
【００５５】
ＳＴＭ−Ｎ出力インターフェイス回路１３及び１４の各々は、入力されたベースバンドデジタル信号のＳＯＨを信号処理してＳＴＭ−Ｎ信号に変換する。そして、ＳＴＭ−Ｎ出力インターフェイス回路１３はＳＴＭ−Ｎ信号を光伝送路１７０に送出し、ＳＴＭ−Ｎ出力インターフェイス回路１４はＳＴＭ−Ｎ信号を光伝送路１８０に送出する。
【００５６】
ＭＵＸ装置１０２は、光伝送路１７０及び１８０を介して入力される２つのＳＴＭ−Ｎ信号の一方を選択してこの選択信号を複数の信号に分割した後、自装置に接続されたノード装置に送出する。
【００５７】
例えば、現用系がＶ偏波送受信機２ａ及び２ｂと、ＳＴＭ−Ｎ入力インターフェイス回路１１と、ＳＴＭ−Ｎ出力インターフェイス回路１３と、光伝送路１１０，１３０，１５０及び１７０とであり、予備系がＨ偏波送受信機３ａ及び３ｂと、ＳＴＭ−Ｎ入力インターフェイス回路１２と、ＳＴＭ−Ｎ出力インターフェイス回路１４と、光伝送路１２０，１４０，１６０及び１８０とである場合、ＭＵＸ装置１０２は、通常、光伝送路１７０を介して入力される現用系のＳＴＭ−Ｎ信号を無線機１０ｂからの受信信号として選択する。しかし、現用系に障害が発生すると、ＭＵＸ装置１０２は、現用系から予備系に切り替えるべく光伝送路１８０を介して入力される予備系のＳＴＭ−Ｎ信号を無線機１０ｂからの受信信号として選択する。
【００５８】
図４に示した無線通信システムでは、無線機は、ＭＵＸ装置から入力された２つのＳＴＭ−Ｎ信号の一方を選択して現用系信号及び予備系信号として分岐するＭＳＰ方式をとるため、無線機内に共通部が存在していた。一方、本発明の実施例では、無線機は、ＭＵＸ装置から入力された２つのＳＴＭ−Ｎ信号を現用系信号及び予備系信号として他の無線機に送信するようにしているため、無線機内に共通部が存在せずＳＴＭ−Ｎ信号の装置入力から出力まで完全に２重化される。したがって、現用系及び予備系の一方に障害が発生しても必ず救済可能となる。
【００５９】
また、図４に示した無線通信システムでは、無線機内の選択回路３７（図５参照）により現用系と予備系との切替えが行われていた。一方、本発明の実施例では、ＭＵＸ装置が現用系と予備系との切替えを行なうようにしている。したがって、無線機における切替え制御が不要となり、無線機の構成の簡略化が図れる。
【００６０】
また、本発明の実施例では、ＭＳＰ方式とは異なる方式で２重化を実現しているので、インターフェイス回路をＭＳＴ構成にする必要がない。すなわち、インターフェイス回路は、ＭＵＸ装置から入力された２つのＳＴＭ−Ｎ信号の一方を選択して分岐するものではないので、インターフェイス回路のクロックが伝送路のクロックに従属して同期している従属同期ですむ。したがって、インターフェイス回路は、ＣＬＫ供給回路やＭＳＯＨ終端回路を必要としないＲＳＴ（ｒｅｇｅｎｅｒａｔｏｒ　ｓｅｃｔｉｏｎ　ｔｅｒｍｉｎａｔｉｏｎ）構成をとることが可能となり、無線機の構成の簡略化が図れる。
【００６１】
また、本発明の実施例では、無線機間の現用系無線回線及び予備系無線回線に周波数が同一で互いに直交する偏波を利用する直交偏波伝送を行なうようにしているので、周波数の有効利用が図れる。
【００６２】
【発明の効果】
本発明による効果は、発生した障害が現用系及び予備系の一方のみの障害（単独障害）である限りその救済が必ず可能となることである。その理由は、無線通信装置内から共通部を廃したことにより、現用系と予備系とが互いに独立しているためである。
【図面の簡単な説明】
【図１】本発明の実施例による無線通信システムの構成を示す図である。
【図２】図１のインターフェイス回路１ａ，１ｂの構成を示す図である。
【図３】（ａ）は図１の無線通信システムにおける無線周波数配置を示す図であり、（ｂ）は従来の無線通信システムにおける無線周波数配置を示す図である。
【図４】従来の無線通信システムの構成を示す図である。
【図５】図４のインターフェイス回路２１ａ，２１ｂの構成を示す図である。
【符号の説明】
１ａ，１ｂ　　インターフェイス回路
２ａ，２ｂ　　Ｖ偏波送受信器
３ａ，３ｂ　　Ｈ偏波送受信器
４ａ，４ｂ，５ａ，５ｂ　　サーキュレータ
６ａ，６ｂ　　アンテナ
１０ａ，１０ｂ　　無線機
１１，１２　　ＳＴＭ−Ｎ入力インターフェイス回路
１３，１４　　ＳＴＭ−Ｎ出力インターフェイス回路
１０１，１０２　　ＭＵＸ装置
１１０〜１８０　　光伝送路
【図１】
2004112242.tif 000003
【図２】
2004112242.tif 000004
【図３】
2004112242.tif 000005
【図４】
2004112242.tif 000006
【図５】
2004112242.tif 000007